(57)【特許請求の範囲】
【請求項１】
ステープルを打ち出すドライバを摺働自在に収容する射出口を形成したドライバガイドと、多数のステープルを連結した連結ステープルを収容するとともに前記射出口に順次供給するステープルマガジンを備えてなるタッカにおいて、前記ステープルマガジンが、断面形状が下面が開放された門型にプラスチック材料で成形されたマガジン本体と、該マガジン本体の開口部にスライド可能に支持されているスライダとからなり、前記マガジン本体が前端部において前記ドライバガイドに取り付けられ、マガジン本体の後端部が両側面と少なくとも下面の一部を覆うように補強具を配置して、該補強具とマガジン本体の後端部とを一体にしてタッカのグリップ部に取り付け支持させたことを特徴とするタッカにおけるプラスチック製マガジン。
【請求項２】
前記補強具が、金属製板状からなることを特徴とする、請求項１記載のタッカにおけるプラスチック製マガジン。
【請求項３】
前記補強具が、マガジン本体の両側面と中心部分を除いた下面側を覆うように配置され、スライダの下面に打ち込み安定板を装着可能としたことを特徴とする請求項１又は２記載のタッカにおけるプラスチック製マガジン。
【発明の詳細な説明】
【０００１】
【発明の属する技術分野】
本発明は、コ字形に形成したステープルを多数接着連結した連結ステープルを圧縮空気等の動力で連続的に打ち込むタッカにおける、上記連結ステープルを収容して打ち込み部へ連続的に供給するためのマガジンに関するものである。
【０００２】
【従来技術】
コ字形に形成した連結ステープルを打ち込むタッカにおいては、図６に示すように、マガジン１はステープルの射出口を形成しているノーズ部のドライバガイド部材２に、直状のマガジン本体３の前端が取り付けられ後方に延びており、後端部分においてタッカのグリップ部４の後端部に接合されてタッカに取り付けられている。タッカの前部下方に形成されている射出口内にはピストン機構等により駆動されるドライバが往復動可能に収容されており、マガジン１から射出口内に供給されるステープルを射出から打ち出すようにされている。
【０００３】
図６及び図７に示すようにマガジン１は、下側が開放された断面形状が門型をなしたマガジン本体３と、このマガジン本体３の開放部分を閉鎖するようにスライド可能に装着されるスライダ５で構成されている。スライダ５はマガジン本体３に対して長手方向にスライド可能に装着されており、図６に示すように後方にスライドした位置でマガジン本体３の下面側を開放して連結ステープルをマガジン本体３内へ装填が可能となる。スライダ５の前端にはウエアプレート６が一体に形成されておりスライダ５が前端位置に配置されることにより前記タッカ１のドライバガイド２との間で射出口が形成される。
【０００４】
【発明が解決しようとする課題】
上記タッカのマガジンには金属、やプラスチック間等の様々な素材が従来より使用されている。板金の折り曲げ成型やアルミの押し出し成形等による金属製のマガジンは、強度、寸法精度とも満足できるものであるが、重量が大きくなり小型軽量化が望まれるタッカにおいては好ましいものではなく、また製造コストも高くなるという問題がある。これに対して、プラスチック製のマガジンは設計に自由度があり製造コストも安く、タッカの軽量化を達成する点で好ましいものであるが、前述の金属製のマガジンに比べて強度不足や摩耗しやすいといった問題がある。
【０００５】
特に図６に示すようにスライダ５を図中右方向へ移動させてマガジン本体３の下面を開放させた状態では、スライダ５の後端部近傍に衝撃が加わった場合にマガジン本体３が変形したり破損してしまう場合がある。また、タッカを被打ち込み材面に押し当てたときにマガジン本体３の後部下面が被打ち込み材面と接触して摩耗が発生する。更に図７に示すように、プラスチック成形によるマガジン本体３の後端部における下向きの開口部分の幅方向の寸法Ｌ１、Ｌ２の維持管理が難しく、たとえばＬ１寸法が小さくなった場合にはステープルが装填できなくなったり又は装填されたステープルの射出口方向への移動が阻止されてステープルの供給不良となる。また、Ｌ２寸法が小さくなった場合にはスライダとの嵌合がきつくなってスライダ５のスムースなスライド動作を阻害する等、特に寸法管理がシビアなタッカのマガジンにとって、プラスチックの成型字の変形による寸法の変化は致命的であり、従ってステープルマガジンとしてプラスチック素材は現状ではあまり採用されていないものであった。
【０００６】
本発明は、上記従来のプラスチック製マガジンの問題点を解消して、一部に金属製部品を組み合わせ構成することにより精度の高い寸法管理を可能とし、変形・破損・摩耗が効果的に防止できるプラスチック製マガジンを提供することを課題とする。
【０００７】
【課題を解決するための手段】
前記課題を解決するため、本発明にかかるタッカにおけるプラスチック製マガジンは、ステープルを打ち出すドライバを摺働自在に収容する射出口を形成したドライバガイドと、多数のステープルを連結した連結ステープルを収容するとともに前記射出口に順次供給するステープルマガジンを備えてなるタッカにおいて、前記ステープルマガジンが、断面形状が下面が開放された門型にプラスチック材料で成形されたマガジン本体と、該マガジン本体の開口部にスライド可能に支持されているスライダとからなり、前記マガジン本体が前端部において前記ドライバガイドに取り付けられ、マガジン本体の後端部が両側面と少なくとも下面の一部を覆うように補強具を配置して、該補強具とマガジン本体の後端部とを一体にしてタッカのグリップ部に取り付け支持させたことを特徴とする。
【０００８】
なお、補強具は金属板状であることが好ましい。
【０００９】
また、請求項３の発明は、前記補強具が、マガジン本体の両側面と中心部分を除いた下面側を覆うように配置され、スライダの下面に打ち込み安定板を装着可能にしたものである。
【００１０】
【発明の実施の形態】
以下、図面に示す実施例に基づいて本発明の実施態様を説明する。図１は本発明の第１の実施例にかかるタッカであり、タッカ１０は、ピストン・シリンダからなる駆動機構を収容したボデー１１と、このボデー１１に連設されたグリップ１２、ボデー１１の下部に取り付けられたノーズ部１３、及び、前記ノーズ部１３とグリップ１２の間に取り付けられたマガジン１４で構成されている。マガジン１４は図２及び図３に示すように、下側が開放された断面形状が門型のマガジン本体１５と、このマガジン本体１５の下面の開放部分を閉鎖するようにスライド可能にマガジン本体１５に対して支持されているスライダ１６とで構成されている。
【００１１】
スライダ１６はマガジン本体１５の開口部の下縁にマガジンの長手方向に沿って対向して形成されている溝に嵌合されて、マガジン本体１４の長手方向に沿ってスライド可能に支持されており、図２に示すようにスライダが後方へ移動されてマガジン本体の下部を開方させた状態でマガジン本体内へ連結ステープルが装填されるのを可能としている。スライダ１６の前端には、タッカのノーズ部１３を構成しているドライバガイド１７と協働してステープルの射出口を形成するウエアプレート１８が一体に形成されており、スライダ１６が前進した位置でステープルの打ち出し用の射出口が形成される。
【００１２】
１９はスライダ１６を前進位置に固定保持するための固定レバーであり、固定レバー１９の後端に形成されたフック部１９ａがスライダ１６の後端と係合してスライダ１６を前端位置に保持固定する。マガジン本体１５の前端部は、ボルト等の手段によって前記ドライバガイド１７に固定されており、マガジン本体１５の後部はマガジン本体１５の上部に一体に成形されたブラケット１５ａを介してタッカ１０のグリップ部１２の後端部と連結されている。
【００１３】
図２乃至図４に詳細に示すように、マガジン本体１５の後端部分には、鉄板等の金属製の板から構成した補強金具２０がマガジン本体１５の下面及び両側面の外周面を覆うように配置されている。補強金具２０はほぼＬ字形に折り曲げ形成された金属製の板材で構成される左右の各補強板２０ａ、２０ｂに分割して形成されており、水平に折り曲げられた下端辺２７がマガジン本体１５の下面中心線上で対向するようにマガジン本体１５後部の外側面に沿って配置され、マガジン本体１５とはボルト２１及びナット２２を介して固定されている。図３に詳細に示すようにボルト２１は、左右の補強板２０ａ、２０ｂの内側に配置される部分が拡径部２１に構成されており、両端から螺合されるナット２２の締め過ぎにより補強板の間隔が狭まってしまうのを防止している。
【００１４】
一側の補強板２０ａは一部分が上方に延長形成されており、マガジン本体１５のブラケット部１５ａと一緒にマガジン本体１５をグリップ部１２に取り付けるブラケット２３を構成している。また、両側の各補強板２０ａ、２０ｂにはスライダ１６を前端位置に固定保持する固定レバー１９の枢着支軸２４を支持する開口２５が形成されており、枢着支軸２４を介して固定レバー１９を回転可能に支持している。両補強板２０ａ、２０ｂの下端部分には互いの補強板から内側に向けて突出形成された突起２６が形成されており、該突起２６と補強板の水平な下端辺２７との間で前記スライダ１６を摺働可能に案内する。
【００１５】
図５は別の実施態様を示すものであり、この実施態様では、補強金具２０を構成している左右の補強板２０ｃ、２０ｄの下端辺がマガジン本体１５の中心線まで延ばされておらず、補強板２０ｃ、２０ｄの下端はスライダ１６の下面両側縁部を抱える程度に形成されている。したがって左右の補強板２０ｃ、２０ｄの各下端辺の間は開放されており、図に示すようにスライダ１６の下面に打ち込み安定板２８を設置してステープルの打ち込み姿勢を安定化させるようにすることが可能となる。そのほかの構成は前述の実施例と同様である。
【００１６】
なお、補強金具２０を構成する前述の補強板２０ａ、２０ｂ又は２０ｃ、２０ｄは、スライダ１６を後方にスライドさせた状態でスライダ１６の後端部に加えられる大きな外力によりマガジン本体の後端部分の変形が充分に抗することができるように、材質、厚さと幅方向の寸法を選定して設定する。
【００１７】
また、前述の補強板２０ａ、２０ｂ又は２０ｃ、２０ｄとマガジン本体との結合構造は、上記実施例で示したボルト・ナットによる締め付けのほかに、各補強板をマガジン本体のプラスチック成型時にインサート成型により一体的に成型することも可能である。これによれば、ボルト・ナット等の固着のための部品が省略でき、これらの部品コスト及び組み付けコストの低廉化をはかることができる。
【００１８】
なお、補強金具２０は必ずしも金属製である必要がなく、例えば合成樹脂製の補強具として構成してもよい。
【００１９】
【発明の効果】
本発明によれば、下面が開放された断面が門型のプラスチック製マガジンの後端部分に補強具をマガジン本体の外周囲を覆うように配置してマガジン本体を固定するので、後方へ移動させたスライダに大きな衝撃力が作用してもプラスチック製マガジン本体の変形・破損が補強具により防止できる。また、マガジン本体の幅方向の寸法が補強具とマガジン本体を一体にしてタッカに取り付けるようにしているのでプラスチック製マガジン本体の取り付け寸法が安定し、ステープルが装填できなくなったたり、又はスライダのスライド操作が渋くなったり又はがたついたりすることが確実に防止できる。
さらに、プラスチック製マガジン本体の後部の下面と側面が補強具により覆われる構造であるので、タッカを被打ち込み材面に滑らせて連続して打ち込む操作をしても、プラスチック製マガジン本体が直接被打ち込み材面と接触することがなくマガジン本体の摩耗による破損を防止できる。
また、前記補強具を金属製とすることで、より強い補強効果が得られる。
【図面の簡単な説明】
【図１】本発明のプラスチック製マガジンを実施した実施例の側面図。
【図２】上記マガジン部分を下面側からみた斜視図。
【図３】上記実施例の補強金具の部分の縦断背面図。
【図４】同じ実施例のマガジン部を後方側からみた斜視図。
【図５】別の実施例のマガジンを下側からみた斜視図。
【図６】従来のタッカを下側からみた斜視図。
【図７】上記タッカのマガジン部を後方からみた斜視図。
【符号の説明】
１０  タッカ
１１  ボデー
１２  グリップ
１３  ノーズ部
１４  マガジン
１５  マガジン本体
１６  スライダ
１７  ドライバガイド
１８  ウエアプレート
１９  固定レバー
２０  補強金具
２０ａ  補強板
２０ｂ  補強板
２１  ボルト
２２  ナット
２３  ブラケット
２４  枢着支軸
２５  開口
２６  突起
２７  下端辺
２８  打ち込み安定版
【図１】
0004438250.tif 000002
【図２】
0004438250.tif 000003
【図３】
0004438250.tif 000004
【図４】
0004438250.tif 000005
【図５】
0004438250.tif 000006
【図６】
0004438250.tif 000007
【図７】
0004438250.tif 000008